(57)【要約】【課題】印刷画質の低下を抑えつつ、インクミストを低減できるインクジェット印刷装置を提供する。【解決手段】制御部は、画像データに基づくドロップ数が閾値Ｄｔ以下で０ではない画素のうち、当該画素に対するインク吐出を行うノズル２８が、上流側のノズル列２７Ａの強風領域Ａ内のノズル２８であり、かつ、当該画素の主走査方向における両隣の隣接画素の少なくともいずれかの画像データに基づくドロップ数が最大ドロップ数Ｄｍから閾値Ｄｔ分を差し引いたドロップ数以下である画素に対するインク吐出を取り止め、当該画素に対する吐出を取り止めた分のドロップ数を、下流側のノズル列２７Ｂのノズル２８による、当該画素の主走査方向における両隣の隣接画素のいずれかに対するドロップ数に追加する。【選択図】図４
2018001423.tif 000002
【特許請求の範囲】
【請求項１】
搬送される印刷媒体の搬送方向に直交する主走査方向に沿って配置された複数のノズルをそれぞれ含み前記搬送方向に並列配置された複数のノズル列を有し、前記各ノズル列の前記ノズルが他のノズル列の前記ノズルに対して前記主走査方向にずれるように配置され、前記各ノズル列の前記ノズルから同色のインクを印刷媒体へ吐出するインクジェットヘッドと、
画素ごとのインク吐出量を示す画像データに基づき、前記複数のノズル列の前記ノズルから前記主走査方向のラインごとにインクを吐出して印刷するよう前記インクジェットヘッドを制御する制御部とを備え、
前記制御部は、
画像データに基づくインク吐出量が閾値以下で０ではない画素のうち、当該画素に対するインク吐出を行うノズルが、前記搬送方向における最上流のノズル列の、前記主走査方向における前記インクジェットヘッドの端部の所定領域内のノズルであり、かつ、当該画素の前記主走査方向における両隣の隣接画素の少なくともいずれかの画像データに基づくインク吐出量が１画素あたりの最大インク吐出量から前記閾値分を差し引いた量以下である画素に対するインク吐出を取り止め、
当該画素に対する吐出を取り止めた分のインク吐出量を、前記最上流のノズル列以外のノズル列のノズルによる、当該画素の前記主走査方向における両隣の隣接画素のいずれかに対するインク吐出量に追加することを特徴とするインクジェット印刷装置。
【請求項２】
前記制御部は、
画像データに基づくインク吐出量が前記閾値以下で０ではない画素のうち、当該画素に対するインク吐出を行うノズルが、前記搬送方向における最上流のノズル列の、前記主走査方向における前記インクジェットヘッドの端部の前記所定領域内のノズルであり、かつ、当該画素の前記主走査方向における両隣の隣接画素が両方とも、画像データに基づくインク吐出量が１画素あたりの最大インク吐出量から前記閾値分を差し引いた量より大きいものである画素に対するインク吐出量が、前記閾値より大きくなるようインク吐出量を追加し、
当該画素に対するインク吐出量の追加分を、前記最上流のノズル列以外のノズル列のノズルによる、当該画素の前記主走査方向における両隣の隣接画素のいずれかに対するインク吐出量から削減することを特徴とする請求項１に記載のインクジェット印刷装置。
【請求項３】
搬送される印刷媒体の搬送方向に直交する主走査方向に沿って配置された複数のノズルをそれぞれ含み前記搬送方向に並列配置された複数のノズル列を有し、前記各ノズル列の前記ノズルが他のノズル列の前記ノズルに対して前記主走査方向にずれるように配置され、前記各ノズル列の前記ノズルから同色のインクを印刷媒体へ吐出するインクジェットヘッドと、
画素ごとのインク吐出量を示す画像データに基づき、前記複数のノズル列の前記ノズルから前記主走査方向のラインごとにインクを吐出して印刷するよう前記インクジェットヘッドを制御する制御部とを備え、
前記制御部は、
画像データに基づくインク吐出量が閾値以下で０ではない画素のうち、当該画素に対するインク吐出を行うノズルが、前記搬送方向における最上流のノズル列の、前記主走査方向における前記インクジェットヘッドの端部の所定領域内のノズルであり、かつ、当該画素の前記主走査方向における両隣の隣接画素の少なくともいずれかの画像データに基づくインク吐出量が前記閾値以上である画素に対するインク吐出量が、前記閾値より大きくなるようインク吐出量を追加し、
当該画素に対するインク吐出量の追加分を、前記最上流のノズル列以外のノズル列のノズルによる、当該画素の前記主走査方向における両隣の隣接画素のいずれかに対するインク吐出量から削減することを特徴とするインクジェット印刷装置。
【発明の詳細な説明】
【技術分野】
【０００１】
本発明は、インクジェットヘッドからインクを吐出して印刷を行うインクジェット印刷装置に関する。
【背景技術】
【０００２】
インクジェット印刷装置では、インクジェットヘッドのノズルからのインク吐出により、インクが霧状になったインクミストが発生する（例えば、特許文献１参照）。インクミストは、印刷媒体に付着して印刷物を汚すことがある。また、インクミストは、装置内部の汚れの原因ともなる。
【０００３】
インクミストは、ノズルから吐出されたインクが吐出方向に細長い柱状になったインク液柱が、印刷媒体の搬送時に発生する搬送風等の影響により、印刷媒体に着弾する前に分断されることにより発生する。
【０００４】
ここで、マルチドロップ方式のインクジェットヘッドでは、１画素に対して複数のインク滴を吐出すると、それらのインク滴が飛翔中に合体する。このため、１画素に対して吐出するインク滴が多いほど、インク液柱が太くなり、インク液柱が分断されにくくなるため、インクミストが発生しにくい。すなわち、１画素に対して吐出するインク滴が少ないほど、インクミストが発生しやすい。特に、１画素に対して１ドロップのみを吐出する場合に、インクミストが発生しやすい。
【０００５】
これに対し、１画素あたり１ドロップのみの吐出は行わないようにする、いわゆる１ドロップレス処理を行うことで、インクミストを低減することが知られている。
【先行技術文献】
【特許文献】
【０００６】
【特許文献１】特開２０１４−１７２３８９号公報
【発明の概要】
【発明が解決しようとする課題】
【０００７】
しかしながら、上述した１ドロップレス処理を行うと、階調数が減少するため、印刷画質の低下を招く。
【０００８】
本発明は上記に鑑みてなされたもので、印刷画質の低下を抑えつつ、インクミストを低減できるインクジェット印刷装置を提供することを目的とする。
【課題を解決するための手段】
【０００９】
上記目的を達成するため、本発明に係るインクジェット印刷装置の第１の特徴は、搬送される印刷媒体の搬送方向に直交する主走査方向に沿って配置された複数のノズルをそれぞれ含み前記搬送方向に並列配置された複数のノズル列を有し、前記各ノズル列の前記ノズルが他のノズル列の前記ノズルに対して前記主走査方向にずれるように配置され、前記各ノズル列の前記ノズルから同色のインクを印刷媒体へ吐出するインクジェットヘッドと、画素ごとのインク吐出量を示す画像データに基づき、前記複数のノズル列の前記ノズルから前記主走査方向のラインごとにインクを吐出して印刷するよう前記インクジェットヘッドを制御する制御部とを備え、前記制御部は、画像データに基づくインク吐出量が閾値以下で０ではない画素のうち、当該画素に対するインク吐出を行うノズルが、前記搬送方向における最上流のノズル列の、前記主走査方向における前記インクジェットヘッドの端部の所定領域内のノズルであり、かつ、当該画素の前記主走査方向における両隣の隣接画素の少なくともいずれかの画像データに基づくインク吐出量が１画素あたりの最大インク吐出量から前記閾値分を差し引いた量以下である画素に対するインク吐出を取り止め、当該画素に対する吐出を取り止めた分のインク吐出量を、前記最上流のノズル列以外のノズル列のノズルによる、当該画素の前記主走査方向における両隣の隣接画素のいずれかに対するインク吐出量に追加することにある。
【００１０】
本発明に係るインクジェット印刷装置の第２の特徴は、前記制御部は、画像データに基づくインク吐出量が前記閾値以下で０ではない画素のうち、当該画素に対するインク吐出を行うノズルが、前記搬送方向における最上流のノズル列の、前記主走査方向における前記インクジェットヘッドの端部の前記所定領域内のノズルであり、かつ、当該画素の前記主走査方向における両隣の隣接画素が両方とも、画像データに基づくインク吐出量が１画素あたりの最大インク吐出量から前記閾値分を差し引いた量より大きいものである画素に対するインク吐出量が、前記閾値より大きくなるようインク吐出量を追加し、当該画素に対するインク吐出量の追加分を、前記最上流のノズル列以外のノズル列のノズルによる、当該画素の前記主走査方向における両隣の隣接画素のいずれかに対するインク吐出量から削減することにある。
【００１１】
本発明に係るインクジェット印刷装置の第３の特徴は、搬送される印刷媒体の搬送方向に直交する主走査方向に沿って配置された複数のノズルをそれぞれ含み前記搬送方向に並列配置された複数のノズル列を有し、前記各ノズル列の前記ノズルが他のノズル列の前記ノズルに対して前記主走査方向にずれるように配置され、前記各ノズル列の前記ノズルから同色のインクを印刷媒体へ吐出するインクジェットヘッドと、画素ごとのインク吐出量を示す画像データに基づき、前記複数のノズル列の前記ノズルから前記主走査方向のラインごとにインクを吐出して印刷するよう前記インクジェットヘッドを制御する制御部とを備え、前記制御部は、画像データに基づくインク吐出量が閾値以下で０ではない画素のうち、当該画素に対するインク吐出を行うノズルが、前記搬送方向における最上流のノズル列の、前記主走査方向における前記インクジェットヘッドの端部の所定領域内のノズルであり、かつ、当該画素の前記主走査方向における両隣の隣接画素の少なくともいずれかの画像データに基づくインク吐出量が前記閾値以上である画素に対するインク吐出量が、前記閾値より大きくなるようインク吐出量を追加し、当該画素に対するインク吐出量の追加分を、前記最上流のノズル列以外のノズル列のノズルによる、当該画素の前記主走査方向における両隣の隣接画素のいずれかに対するインク吐出量から削減することにある。
【発明の効果】
【００１２】
本発明に係るインクジェット印刷装置の第１の特徴によれば、制御部は、画像データに基づくインク吐出量が閾値以下で０ではない画素のうち、当該画素に対するインク吐出を行うノズルが、搬送方向における最上流のノズル列の、主走査方向におけるインクジェットヘッドの端部の所定領域内のノズルであり、かつ、当該画素の主走査方向における両隣の隣接画素の少なくともいずれかの画像データに基づくインク吐出量が１画素あたりの最大インク吐出量から閾値分を差し引いた量以下である画素に対するインク吐出を取り止める。また、制御部は、当該画素に対する吐出を取り止めた分のインク吐出量を、最上流のノズル列以外のノズル列のノズルによる、当該画素の主走査方向における両隣の隣接画素のいずれかに対するインク吐出量に追加する。
【００１３】
これにより、印刷媒体の搬送により発生する搬送風の風量が大きい領域にあるノズルからの、インクミストが発生しやすい閾値以下の小吐出量のインク吐出が低減するので、インクミストを低減できる。また、最上流のノズル列において吐出が取り止められた分のインク吐出量は、最上流のノズル列以外のノズル列において隣接画素に追加されて吐出されるので、印刷画像における濃度の変化が抑えられる。このため、印刷画質の低下は抑えられる。したがって、本発明に係るインクジェット印刷装置の第１の特徴によれば、印刷画質の低下を抑えつつ、インクミストを低減できる。
【００１４】
本発明に係るインクジェット印刷装置の第２の特徴によれば、制御部は、画像データに基づくインク吐出量が閾値以下で０ではない画素のうち、当該画素に対するインク吐出を行うノズルが、搬送方向における最上流のノズル列の、主走査方向におけるインクジェットヘッドの端部の所定領域内のノズルであり、かつ、当該画素の主走査方向における両隣の隣接画素が両方とも、画像データに基づくインク吐出量が１画素あたりの最大インク吐出量から閾値分を差し引いた量より大きいものである画素に対するインク吐出量が、閾値より大きくなるようインク吐出量を追加する。また、制御部は、当該画素に対するインク吐出量の追加分を、最上流のノズル列以外のノズル列のノズルによる、当該画素の主走査方向における両隣の隣接画素のいずれかに対するインク吐出量から削減する。
【００１５】
これにより、搬送風の風量が大きい領域にあるノズルからの、インクミストが発生しやすい閾値以下の小吐出量のインク吐出がより低減するので、インクミストをより低減できる。また、最上流のノズル列において追加された分のインク吐出量は、最上流のノズル列以外のノズル列において隣接画素に吐出されるインク吐出量から削減されるので、印刷画像における濃度の変化が抑えられる。このため、印刷画質の低下は抑えられる。したがって、本発明に係るインクジェット印刷装置の第２の特徴によれば、印刷画質の低下を抑えつつ、インクミストをより低減できる。
【００１６】
本発明に係るインクジェット印刷装置の第３の特徴によれば、制御部は、画像データに基づくインク吐出量が閾値以下で０ではない画素のうち、当該画素に対するインク吐出を行うノズルが、搬送方向における最上流のノズル列の、主走査方向におけるインクジェットヘッドの端部の所定領域内のノズルであり、かつ、当該画素の主走査方向における両隣の隣接画素の少なくともいずれかの画像データに基づくインク吐出量が閾値以上である画素に対するインク吐出量が、閾値より大きくなるようインク吐出量を追加する。また、制御部は、当該画素に対するインク吐出量の追加分を、最上流のノズル列以外のノズル列のノズルによる、当該画素の主走査方向における両隣の隣接画素のいずれかに対するインク吐出量から削減する。
【００１７】
これにより、搬送風の風量が大きい領域にあるノズルからの、インクミストが発生しやすい閾値以下の小吐出量のインク吐出が低減するので、インクミストを低減できる。また、最上流のノズル列において追加された分のインク吐出量は、最上流のノズル列以外のノズル列において隣接画素に吐出されるインク吐出量から削減されるので、印刷画像における濃度の変化が抑えられる。このため、印刷画質の低下は抑えられる。したがって、本発明に係るインクジェット印刷装置の第３の特徴によれば、印刷画質の低下を抑えつつ、インクミストを低減できる。
【図面の簡単な説明】
【００１８】
【図１】第１実施形態に係るインクジェット印刷装置の構成を示すブロック図である。
【図２】図１に示すインクジェット印刷装置の搬送部および印刷部の概略構成図である。
【図３】図１に示すインクジェット印刷装置の搬送部および印刷部の平面図である。
【図４】図１に示すインクジェット印刷装置のインクジェットヘッドにおけるノズル列の説明図である。
【図５】第１実施形態におけるインクミスト対策処理のフローチャートである。
【図６】第２実施形態におけるインクミスト対策処理のフローチャートである。
【図７】第３実施形態におけるインクミスト対策処理のフローチャートである。
【発明を実施するための形態】
【００１９】
以下、本発明の実施の形態について、図面を参照して説明する。各図面を通じて同一もしくは同等の部位や構成要素には、同一もしくは同等の符号を付している。
【００２０】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２１】
（第１実施形態）
図１は、本発明の第１実施形態に係るインクジェット印刷装置の構成を示すブロック図である。図２は、図１に示すインクジェット印刷装置の搬送部および印刷部の概略構成図である。図３は、図１に示すインクジェット印刷装置の搬送部および印刷部の平面図である。図４は、図１に示すインクジェット印刷装置のインクジェットヘッドにおけるノズル列の説明図である。
【００２２】
以下の説明において、図２の紙面に直交する方向を前後方向とし、紙面表方向を前方とする。また、図２における紙面の上下左右を上下左右方向とする。また、図２において左から右に向かう方向が、印刷媒体である用紙ＰＡの搬送方向である。以下の説明における上流、下流は、用紙ＰＡの搬送方向における上流、下流を意味する。
【００２３】
図１に示すように、第１実施形態に係るインクジェット印刷装置１は、搬送部２と、印刷部３と、制御部４とを備える。
【００２４】
搬送部２は、図示しない給紙部から給紙された用紙ＰＡを搬送する。図１、図２に示すように、搬送部２は、搬送ベルト１１と、駆動ローラ１２と、従動ローラ１３，１４，１５と、搬送モータ１６と、ファン１７とを備える。
【００２５】
搬送ベルト１１は、用紙ＰＡを吸着保持して搬送する。搬送ベルト１１は、駆動ローラ１２および従動ローラ１３〜１５に掛け渡される環状のベルトである。搬送ベルト１１には、用紙ＰＡを吸着保持するための貫通穴である複数のベルト穴（図示せず）が形成されている。搬送ベルト１１は、ファン１７によるエア吸引によりベルト穴に発生する吸着力により、用紙ＰＡを吸着保持する。搬送ベルト１１は、図２における時計回り方向に回転することで、吸着保持した用紙ＰＡを右方向に搬送する。
【００２６】
駆動ローラ１２は、搬送ベルト１１を図２における時計回り方向に回転させる。
【００２７】
従動ローラ１３〜１５は、駆動ローラ１２とともに搬送ベルト１１を支持する。従動ローラ１３〜１５は、搬送ベルト１１を介して駆動ローラ１２に従動回転する。従動ローラ１３は、駆動ローラ１２と同じ高さで、駆動ローラ１２の左方に配置されている。従動ローラ１４，１５は、駆動ローラ１２および従動ローラ１３より下方において、互いに左右方向に離間して、同じ高さに配置されている。
【００２８】
搬送モータ１６は、駆動ローラ１２を回転駆動させる。
【００２９】
ファン１７は、下方向への気流を生じさせる。これにより、ファン１７は、搬送ベルト１１のベルト穴を介して空気を吸引してベルト穴に負圧を発生させ、用紙ＰＡを搬送ベルト１１上に吸着させる。ファン１７は、搬送ベルト１１に囲まれた領域に配置されている。
【００３０】
印刷部３は、搬送部２により搬送される用紙ＰＡに画像を印刷する。印刷部３は、搬送部２の上方に配置されている。印刷部３は、ラインヘッド２１Ｃ，２１Ｋ，２１Ｍ，２１Ｙを備える。なお、以下の説明において、ラインヘッド２１Ｃ，２１Ｋ，２１Ｍ，２１Ｙの符号におけるアルファベットの添え字（Ｃ，Ｋ，Ｍ，Ｙ）を省略して総括的に表記することがある。
【００３１】
ラインヘッド２１は、搬送部２により搬送される用紙ＰＡにインクを吐出する。ラインヘッド２１Ｃ，２１Ｋ，２１Ｍ，２１Ｙは、それぞれシアン（Ｃ）、ブラック（Ｋ）、マゼンタ（Ｍ）、イエロー（Ｙ）のインクを吐出する。ラインヘッド２１Ｃ，２１Ｋ，２１Ｍ，２１Ｙは、搬送部２の上方において、用紙ＰＡの搬送方向である副走査方向（左右方向）に並列配置されている。ラインヘッド２１Ｃ，２１Ｋ，２１Ｍ，２１Ｙは、それぞれ６つのインクジェットヘッド２６を備える。
【００３２】
各ラインヘッド２１において、６個のインクジェットヘッド２６は、千鳥配置されている。すなわち、各ラインヘッド２１において、６個のインクジェットヘッド２６は、用紙ＰＡの搬送方向（副走査方向）に直交する主走査方向（前後方向）に沿って配列され、かつ、１つおきに副走査方向（左右方向）における位置をずらして配置されている。
【００３３】
インクジェットヘッド２６は、図４に示すように、２列のノズル列２７Ａ，２７Ｂを有する。ノズル列２７Ａ，２７Ｂは、左右方向に間隔を空けて並列配置されている。ノズル列２７Ａ，２７Ｂは、それぞれ複数のノズル２８を有する。ノズル列２７Ａ，２７Ｂは、互いに同色のインクをノズル２８から吐出する。
【００３４】
ノズル２８は、インクジェットヘッド２６の下面である吐出面２６ａに開口し、下方へインクを吐出する。インクジェットヘッド２６では、１つのノズル２８から１画素に対して吐出するインクのドロップ数（液滴数）を変えることができるようになっており、ドロップ数に応じたインク吐出量により濃度を表現する階調印刷が行われる。
【００３５】
ノズル列２７Ａ，２７Ｂのそれぞれにおいて、複数のノズル２８は、主走査方向（前後方向）に沿って所定のピッチＰで等間隔に配置されている。そして、上流側のノズル列２７Ａのノズル２８と下流側のノズル列２７Ｂのノズル２８とが、主走査方向に半ピッチ（Ｐ／２）分だけずれるように配置されている。これにより、主走査方向の解像度を高めている。
【００３６】
制御部４は、インクジェット印刷装置１の各部の動作を制御する。制御部４は、ＣＰＵ、ＲＡＭ、ＲＯＭ、ハードディスク等を備えて構成される。
【００３７】
具体的には、制御部４は、搬送部２を駆動させつつ、画像データに基づき、ノズル列２７Ａ，２７Ｂのノズル２８から主走査方向のラインごとにインクを吐出して、搬送部２により搬送される用紙ＰＡに印刷するようインクジェットヘッド２６を制御する。
【００３８】
各インクジェットヘッド２６の制御において、制御部４は、主走査方向の１つのラインに対して、まず上流側のノズル列２７Ａのノズル２８からインクを吐出させる。その後、制御部４は、上流側のノズル列２７Ａのノズル２８から吐出されたインクにより形成されたドットと同一ライン上にドットが形成されるようなタイミングで、下流側のノズル列２７Ｂのノズル２８からインクを吐出させる。これにより、主走査方向の１つのライン上において、上流側のノズル列２７Ａのノズル２８から吐出されたインクによるドットの間に、下流側のノズル列２７Ｂのノズル２８から吐出されたインクによるドットを形成させることができる。この繰り返しにより、搬送される用紙ＰＡに、主走査方向のラインごとに印刷画像が形成される。
【００３９】
上述の画像データは、画素ごとのインクのドロップ数を示すデータである。シアン（Ｃ）、ブラック（Ｋ）、マゼンタ（Ｍ）、イエロー（Ｙ）の各色に対応する画像データにより、印刷が行われる。画像データにおける１画素あたりのドロップ数は、例えば、０〜７ドロップの範囲内で設定されている。１画素あたりの最大ドロップ数（請求項の最大インク吐出量に相当）Ｄｍ（例えば、７ドロップ）は、用紙種類に応じて決定されるものである。
【００４０】
制御部４は、印刷時において、以下の条件（１）〜（３）を満たす画素に対するインク吐出を取り止める。
【００４１】
（１）画像データに基づく当該画素のドロップ数が閾値Ｄｔ以下で０ではない。
【００４２】
（２）当該画素に対するインク吐出を行うノズル２８が、上流側のノズル列２７Ａの強風領域（請求項の所定領域に相当）Ａ内のノズル２８である。
【００４３】
（３）当該画素の主走査方向における両隣の隣接画素の少なくともいずれかの画像データに基づくドロップ数が、最大ドロップ数Ｄｍから閾値Ｄｔ分を差し引いたドロップ数以下である。
【００４４】
また、制御部４は、条件（１）〜（３）を満たす画素に対する吐出を取り止めた分のドロップ数を、下流側のノズル列２７Ｂのノズル２８による、当該画素の主走査方向における両隣の隣接画素のいずれかに対するドロップ数に追加する。
【００４５】
上述の条件（１）は、画像データに基づく当該画素のドロップ数が、インクミストが発生しやすいドロップ数であるか否かを判断するための条件である。ドロップ数の閾値Ｄｔは、インクミストが発生しやすいドロップ数であるか否かを判断するための閾値である。１画素あたりのドロップ数が少ないほど、インクミストが発生しやすい。閾値Ｄｔは、実験結果等に基づき予め設定される。
【００４６】
条件（２）は、当該画素に対するインク吐出を行うノズル２８が、用紙ＰＡの搬送により発生する搬送風の影響によりインクミストが発生しやすい位置にあるか否かを判断するための条件である。
【００４７】
強風領域Ａは、用紙ＰＡの搬送により生じる搬送風の風量が基準風量以上であり、インクミストが発生しやすい領域として設定された領域である。具体的には、強風領域Ａは、図４に示すように、インクジェットヘッド２６の主走査方向における端部（前端部および後端部）に設定されている。インクジェットヘッド２６の主走査方向における端部は、外側から搬送風が吹き込みやすいため、中央部より搬送風の風量が大きくなりやすいからである。強風領域Ａは、インクジェットヘッド２６の配置や用紙ＰＡの搬送速度等に応じて、その大きさ（幅）が決まるものであり、シミュレーションや実験の結果に基づき予め設定される。
【００４８】
ここで、強風領域Ａ内でも、下流側のノズル列２７Ｂの位置では、搬送風の風上側にある上流側のノズル列２７Ａの位置よりも風量が小さく、インクミストは比較的発生しにくくなる。このため、条件（２）には、上流側のノズル列２７Ａのノズル２８であることを含んでいる。
【００４９】
条件（３）は、上流側のノズル列２７Ａのノズル２８からの閾値Ｄｔ以下のドロップ数のインク吐出を取り止めた場合に、主走査方向において当該ノズル２８に隣接する下流側のノズル列２７Ｂのノズル２８で代替吐出可能か否かを判断するための条件である。
【００５０】
次に、インクジェット印刷装置１の動作について説明する。
【００５１】
インクジェット印刷装置１で印刷を行う際、まず、制御部４は、印刷対象の画像データに対してインクミスト対策処理を行う。このインクミスト対策処理について、図５のフローチャートを参照して説明する。ここでは、インクミストが発生しやすいドロップ数であるか否かを判断するための閾値Ｄｔが「１」であるとして説明する。図５のフローチャートの処理は、各色の画像データごとに行われるものである。
【００５２】
図５のステップＳ１において、制御部４は、画像データにおける主走査方向のラインのライン番号を示す変数ｌに「１」を設定する。
【００５３】
次いで、ステップＳ２において、制御部４は、ライン上における画素番号を示す変数ｍに「１」を設定する。
【００５４】
次いで、ステップＳ３において、制御部４は、ｌライン目のｍ番目の画素である注目画素が、上流側のノズル列２７Ａの吐出対象の画素であるか否かを判断する。ここで、各ラインでは、上流側のノズル列２７Ａの吐出対象の画素と下流側のノズル列２７Ｂの吐出対象の画素とが交互に並んでいる。
【００５５】
注目画素が上流側のノズル列２７Ａの吐出対象の画素ではない、すなわち、注目画素が下流側のノズル列２７Ｂの吐出対象であると判断した場合（ステップＳ３：ＮＯ）、制御部４は、後述のステップＳ１０へ進む。
【００５６】
ステップＳ３において、注目画素が上流側のノズル列２７Ａの吐出対象の画素であると判断した場合（ステップＳ３：ＹＥＳ）、ステップＳ４において、制御部４は、注目画素が強風領域Ａ内のノズル２８の吐出対象の画素であるか否かを判断する。ここで、注目画素が上流側のノズル列２７Ａの吐出対象の画素であって、強風領域Ａ内のノズル２８の吐出対象の画素であることは、前述の条件（２）が満たされることを意味する。
【００５７】
注目画素が強風領域Ａ内のノズル２８の吐出対象の画素ではないと判断した場合（ステップＳ４：ＮＯ）、制御部４は、ステップＳ１０へ進む。
【００５８】
注目画素が強風領域Ａ内のノズル２８の吐出対象の画素であると判断した場合（ステップＳ４：ＹＥＳ）、ステップＳ５において、制御部４は、注目画素のドロップ数が「１」であるか否かを判断する。ここでは、閾値Ｄｔが「１」であるため、注目画素のドロップ数が「１」であることは、注目画素のドロップ数が閾値Ｄｔ以下であって０ではないことを意味する。すなわち、このことは、前述の条件（１）が満たされることを意味する。
【００５９】
注目画素のドロップ数が「１」ではないと判断した場合（ステップＳ５：ＮＯ）、制御部４は、ステップＳ１０へ進む。
【００６０】
注目画素のドロップ数が「１」であると判断した場合（ステップＳ５：ＹＥＳ）、ステップＳ６において、制御部４は、主走査方向における注目画素の両隣の隣接画素のドロップ数がともに最大ドロップ数Ｄｍであるか否かを判断する。注目画素の両隣の隣接画素は、ｌライン目の（ｍ−１）番目の画素、およびｌライン目の（ｍ＋１）番目の画素である。ここでは、閾値Ｄｔが「１」であるため、注目画素の両隣の隣接画素のドロップ数がともに最大ドロップ数Ｄｍであることは、注目画素の両隣の隣接画素が両方とも、ドロップ数が最大ドロップ数Ｄｍから閾値Ｄｔ分を差し引いたドロップ数より大きいことを意味する。
【００６１】
注目画素の両隣の隣接画素のドロップ数がともに最大ドロップ数Ｄｍであると判断した場合（ステップＳ６：ＹＥＳ）、ステップＳ７において、制御部４は、注目画素のドロップ数を「１」のまま維持する。この後、制御部４は、ステップＳ１０へ進む。
【００６２】
ステップＳ６において、注目画素の両隣の隣接画素の少なくともいずれかのドロップ数が最大ドロップ数Ｄｍではないと判断した場合（ステップＳ６：ＮＯ）、ステップＳ８において、制御部４は、注目画素のドロップ数を「１」から「０」に変更する。
【００６３】
ここでは、閾値Ｄｔが「１」であるため、注目画素の両隣の隣接画素の少なくともいずれかのドロップ数が最大ドロップ数Ｄｍではないことは、注目画素の両隣の隣接画素の少なくともいずれかのドロップ数が最大ドロップ数Ｄｍから閾値Ｄｔ分を差し引いたドロップ数以下であることを意味する。すなわち、このことは、前述の条件（３）が満たされることを意味する。また、注目画素のドロップ数を「１」から「０」に変更することは、この注目画素に対するインクの吐出を取り止めることを意味する。
【００６４】
次いで、ステップＳ９において、制御部４は、注目画素の両隣の隣接画素のいずれかのドロップ数に「１」を加算する。ここで、注目画素の両隣の隣接画素の一方のドロップ数が最大ドロップ数Ｄｍである場合、制御部４は、他方の隣接画素のドロップ数に「１」を加算する。この後、制御部４は、ステップＳ１０へ進む。
【００６５】
ここで、注目画素の両隣の隣接画素のいずれかのドロップ数に「１」を加算することは、注目画素において吐出を取り止める分のドロップ数を、両隣の隣接画素のいずれかに対するドロップ数に追加することを意味する。ここでの注目画素は、上流側のノズル列２７Ａの吐出対象の画素であり、注目画素の両隣の隣接画素は、下流側のノズル列２７Ｂの吐出対象の画素である。
【００６６】
ステップＳ１０では、制御部４は、変数ｍが１ラインにおける最終画素であることを示すＭであるか否かを判断する。
【００６７】
ｍ＝Ｍではないと判断した場合（ステップＳ１０：ＮＯ）、制御部４は、ステップＳ１１において、制御部４は、変数ｍに「１」を加算する。この後、制御部４は、ステップＳ３へ戻る。
【００６８】
ｍ＝Ｍであると判断した場合（ステップＳ１０：ＹＥＳ）、ステップＳ１２において、制御部４は、変数ｌが最終ラインであることを示すＬであるか否かを判断する。
【００６９】
ｌ＝Ｌではないと判断した場合（ステップＳ１２：ＮＯ）、ステップＳ１３において、制御部４は、変数ｌに「１」を加算する。この後、制御部４は、ステップＳ２へ戻る。
【００７０】
ｌ＝Ｌであると判断した場合（ステップＳ１２：ＹＥＳ）、制御部４は、インクミスト対策処理を終了する。
【００７１】
インクミスト対策処理が終了すると、制御部４は、搬送モータ１６の駆動を開始させる。これにより、搬送ベルト１１の回転が開始される。また、制御部４は、ファン１７の駆動を開始させる。図示しない給紙部から用紙ＰＡが給紙されると、用紙ＰＡが搬送部２により搬送される。制御部４は、インクミスト対策処理後の各色の画像データに基づき、搬送部２により搬送される用紙ＰＡに対し、ラインヘッド２１Ｃ，２１Ｋ，２１Ｍ，２１Ｙのインクジェットヘッド２６からインクを吐出させる。これにより、用紙ＰＡに画像が印刷される。
【００７２】
ここで、上述したインクミスト対策処理が行われた結果、条件（１）〜（３）を満たす画素に対するインク吐出が取り止められる。すなわち、上流側のノズル列２７Ａの強風領域Ａ内のノズル２８による吐出対象の画素であって、画像データに基づくドロップ数が「１」である画素のうち、当該画素の主走査方向における両隣の隣接画素の少なくともいずれかの画像データに基づくドロップ数が最大ドロップ数Ｄｍではない画素に対するインク吐出が取り止められる。そして、このインク吐出が取り止められた画素の両隣の隣接画素のいずれかに対するドロップ数に「１」が追加され、この隣接画素に対して、下流側のノズル列２７Ｂのノズル２８から、１ドロップが追加されたドロップ数のインク吐出が行われる。
【００７３】
すなわち、上流側のノズル列２７Ａの強風領域Ａ内のノズル２８において、１画素あたり１ドロップのみの吐出が取り止められることがある。これにより、印刷時に発生するインクミストを低減することが可能である。
【００７４】
また、１ドロップのインク吐出が取り止められた画素の両隣の隣接画素のいずれかに対して、１ドロップが追加されるので、印刷画像における濃度の変化が抑えられる。このため、印刷画質の低下は抑えられる。
【００７５】
画像データに基づく印刷が終了すると、制御部４は、搬送モータ１６およびファン１７を停止させる。これにより、一連の動作が終了となる。
【００７６】
以上説明したように、インクジェット印刷装置１では、制御部４は、条件（１）〜（３）を満たす画素に対するインク吐出を取り止める。すなわち、制御部４は、画像データに基づくドロップ数が閾値Ｄｔ以下で０ではない画素のうち、当該画素に対するインク吐出を行うノズル２８が、上流側のノズル列２７Ａの強風領域Ａ内のノズル２８であり、かつ、当該画素の主走査方向における両隣の隣接画素の少なくともいずれかの画像データに基づくドロップ数が最大ドロップ数Ｄｍから閾値Ｄｔ分を差し引いたドロップ数以下である画素に対するインク吐出を取り止める。それとともに、制御部４は、当該画素に対する吐出を取り止めた分のドロップ数を、下流側のノズル列２７Ｂのノズル２８による、当該画素の主走査方向における両隣の隣接画素のいずれかに対するドロップ数に追加する。
【００７７】
これにより、搬送風の風量が大きい領域にあるノズル２８からの、インクミストが発生しやすい閾値Ｄｔ以下の小ドロップ数のインク吐出が低減するので、インクミストを低減できる。
【００７８】
また、上流側のノズル列２７Ａにおいて吐出が取り止められた分のドロップ数は、下流側のノズル列２７Ｂにおいて隣接画素に追加されて吐出されるので、印刷画像における濃度の変化が抑えられる。このため、印刷画質の低下は抑えられる。
【００７９】
したがって、インクジェット印刷装置１によれば、印刷画質の低下を抑えつつ、インクミストを低減できる。
【００８０】
（第２実施形態）
次に、上述した実施形態のインクミスト対策処理を変更した第２実施形態について説明する。
【００８１】
第２実施形態において、制御部４は、第１実施形態と同様に、条件（１）〜（３）を満たす画素に対するインク吐出を取り止める。それとともに、制御部４は、当該画素に対する吐出を取り止めた分のドロップ数を、下流側のノズル列２７Ｂのノズル２８による、当該画素の主走査方向における両隣の隣接画素のいずれかに対するドロップ数に追加する。
【００８２】
また、第２実施形態では、制御部４は、前述の条件（１），（２）と下記の条件（４）とを満たす画素に対するドロップ数が閾値Ｄｔより大きくなるようドロップ数を追加する。
【００８３】
（４）当該画素の主走査方向における両隣の隣接画素が両方とも、画像データに基づくドロップ数が最大ドロップ数Ｄｍから閾値Ｄｔ分を差し引いたドロップ数よりも大きい。
【００８４】
また、制御部４は、条件（１），（２），（４）を満たす画素に対するドロップ数の追加分だけ、下流側のノズル列２７Ｂのノズル２８による、当該画素の主走査方向における両隣の隣接画素のいずれかに対するドロップ数を削減する。
【００８５】
上述の条件（４）は、条件（１），（２）を満たすが条件（３）を満たさない画素に対して上流側のノズル列２７Ａのノズル２８から吐出するドロップ数の追加を行った場合に、その追加分を、主走査方向において当該ノズル２８に隣接する下流側のノズル列２７Ｂのノズル２８におけるドロップ数から削減可能となるか否かを判断するための条件である。
【００８６】
次に、第２実施形態におけるインクミスト対策処理について、図６のフローチャートを参照して説明する。ここでも、前述の第１実施形態におけるインクミスト対策処理の説明と同様に、閾値Ｄｔが「１」であるとして説明する。
【００８７】
図６のステップＳ１１〜Ｓ１６の処理は、前述した図５のステップＳ１〜Ｓ６の処理と同様である。
【００８８】
ステップＳ１６において、注目画素の両隣の隣接画素のドロップ数がともに最大ドロップ数Ｄｍであると判断した場合（ステップＳ１６：ＹＥＳ）、ステップＳ１７において、制御部４は、注目画素のドロップ数に「１」を加算する。
【００８９】
ここでは、閾値Ｄｔが「１」であるため、注目画素の両隣の隣接画素のドロップ数がともに最大ドロップ数Ｄｍであることは、注目画素の両隣の隣接画素が両方とも、ドロップ数が最大ドロップ数Ｄｍから閾値Ｄｔ分を差し引いたドロップ数より大きいことを意味する。すなわち、このことは、前述の条件（４）が満たされることを意味する。
【００９０】
また、ステップＳ１７において、元の画像データにおいて「１」である注目画素のドロップ数に「１」を加算することは、注目画素のドロップ数が閾値Ｄｔより大きくなるようドロップ数を追加することを意味する。なお、ここで注目画素に加算するドロップ数は「１」に限らないが、印刷画像の濃度変化を抑えるため、注目画素のドロップ数が閾値Ｄｔより大きくなる範囲で最小のドロップ数であることが好ましい。このため、注目画素に加算するドロップ数を「１」としている。
【００９１】
次いで、ステップＳ１８において、制御部４は、注目画素の両隣の隣接画素のいずれかのドロップ数から「１」を減算する。この後、制御部４は、ステップＳ２１へ進む。
【００９２】
ここで、注目画素の両隣の隣接画素のいずれかのドロップ数から「１」を減算することは、注目画素に対するドロップ数の追加分だけ、両隣の隣接画素のいずれかに対するドロップ数を削減することを意味する。
【００９３】
ステップＳ１６において、注目画素の両隣の隣接画素の少なくともいずれかのドロップ数が最大ドロップ数Ｄｍではないと判断した場合（ステップＳ１６：ＮＯ）、制御部４は、ステップＳ１９へ進む。
【００９４】
ステップＳ１９〜Ｓ２４の処理は、前述した図５のステップＳ８〜Ｓ１３の処理と同様である。ステップＳ２３において、ｌ＝Ｌであると判断した場合（ステップＳ２３：ＹＥＳ）、制御部４は、インクミスト対策処理を終了する。
【００９５】
この第２実施形態におけるインクミスト対策処理後の画像データに基づく印刷時には、第１実施形態と同様に、条件（１）〜（３）を満たす画素に対するインク吐出が取り止められる。そして、このインク吐出が取り止められた画素の両隣の隣接画素のいずれかに対するドロップ数に「１」が追加され、この隣接画素に対して、下流側のノズル列２７Ｂのノズル２８から、１ドロップが追加されたドロップ数のインク吐出が行われる。
【００９６】
また、条件（１），（２），（４）を満たす画素に対するドロップ数に「１」が追加されてインク吐出が行われる。そして、このドロップ数が追加された画素の両隣の隣接画素のいずれかに対する、下流側のノズル列２７Ｂのノズル２８から吐出されるドロップ数が「１」だけ削減される。
【００９７】
すなわち、上流側のノズル列２７Ａの強風領域Ａ内のノズル２８において、１画素あたり１ドロップのみの吐出の取り止めに加えて、２ドロップの吐出への変更が行われることがある。これにより、印刷時に発生するインクミストをより低減することが可能である。
【００９８】
また、１ドロップのインク吐出が取り止められた画素の両隣の隣接画素のいずれかに対して１ドロップが追加され、１ドロップの吐出から２ドロップの吐出へ変更された画素の両隣の隣接画素のいずれかにおいて１ドロップが削減される。これにより、印刷画像における濃度の変化が抑えられる。このため、印刷画質の低下は抑えられる。
【００９９】
以上説明したように、第２実施形態では、制御部４は、条件（１）〜（３）を満たす画素に対するインク吐出を取り止める。それとともに、制御部４は、当該画素に対する吐出を取り止めた分のドロップ数を、下流側のノズル列２７Ｂのノズル２８による、当該画素の主走査方向における両隣の隣接画素のいずれかに対するドロップ数に追加する。
【０１００】
また、制御部４は、条件（１），（２），（４）を満たす画素に対するドロップ数が閾値Ｄｔより大きくなるようドロップ数を追加する。すなわち、制御部４は、画像データに基づくドロップ数が閾値Ｄｔ以下で０ではない画素のうち、当該画素に対するインク吐出を行うノズル２８が、上流側のノズル列２７Ａの強風領域Ａ内のノズル２８であり、かつ、当該画素の主走査方向における両隣の隣接画素が両方とも、画像データに基づくドロップ数が最大ドロップ数Ｄｍから閾値Ｄｔ分を差し引いたドロップ数よりも大きいものである画素に対するドロップ数が閾値Ｄｔより大きくなるようドロップ数を追加する。それとともに、制御部４は、当該画素に対するドロップ数の追加分を、下流側のノズル列２７Ｂのノズル２８による、当該画素の主走査方向における両隣の隣接画素のいずれかに対するドロップ数から削減する。
【０１０１】
これにより、搬送風の風量が大きい領域にあるノズル２８からの、インクミストが発生しやすい閾値Ｄｔ以下の小ドロップ数のインク吐出がより低減するので、インクミストをより低減できる。
【０１０２】
また、上流側のノズル列２７Ａにおいて吐出が取り止められた分のドロップ数は、下流側のノズル列２７Ｂにおいて隣接画素に追加されて吐出される。また、上流側のノズル列２７Ａにおいて追加された分のドロップ数は、下流側のノズル列２７Ｂにおいて隣接画素に吐出されるドロップ数から削減される。これにより、印刷画像における濃度の変化が抑えられる。このため、印刷画質の低下は抑えられる。
【０１０３】
したがって、第２実施形態によれば、印刷画質の低下を抑えつつ、インクミストをより低減できる。
【０１０４】
（第３実施形態）
次に、上述した実施形態のインクミスト対策処理を変更した第３実施形態について説明する。
【０１０５】
第２実施形態において、制御部４は、前述の条件（１），（２）と下記の条件（５）とを満たす画素に対するドロップ数が閾値Ｄｔより大きくなるようドロップ数を追加する。
【０１０６】
（５）当該画素の主走査方向における両隣の隣接画素の少なくともいずれかの画像データに基づくドロップ数が閾値Ｄｔ以上である。
【０１０７】
また、制御部４は、条件（１），（２），（５）を満たす画素に対するドロップ数の追加分だけ、下流側のノズル列２７Ｂのノズル２８による、当該画素の主走査方向における両隣の隣接画素のいずれかに対するドロップ数を削減する。
【０１０８】
上述の条件（５）は、上流側のノズル列２７Ａのノズル２８へのドロップ数の追加分を、主走査方向において当該ノズル２８に隣接する下流側のノズル列２７Ｂのノズル２８におけるドロップ数から削減可能となるか否かを判断するための条件である。
【０１０９】
次に、第３実施形態におけるインクミスト対策処理について、図７のフローチャートを参照して説明する。ここでも、前述の第１実施形態におけるインクミスト対策処理の説明と同様に、閾値Ｄｔが「１」であるとして説明する。
【０１１０】
図７のステップＳ３１〜Ｓ３５の処理は、前述した図５のステップＳ１〜Ｓ５の処理と同様である。
【０１１１】
ステップＳ３５において、注目画素のドロップ数が「１」であると判断した場合（ステップＳ３５：ＹＥＳ）、ステップＳ３６において、制御部４は、主走査方向における注目画素の両隣の隣接画素のドロップ数がともに「０」であるか否かを判断する。ここでは、閾値Ｄｔが「１」であるため、注目画素の両隣の隣接画素のドロップ数がともに「０」であることは、注目画素の両隣の隣接画素が両方とも、ドロップ数が閾値Ｄｔより小さいことを意味する。
【０１１２】
注目画素の両隣の隣接画素のドロップ数がともに「０」であると判断した場合（ステップＳ３６：ＹＥＳ）、ステップＳ３７において、制御部４は、注目画素のドロップ数を「１」のまま維持する。この後、制御部４は、ステップＳ４０へ進む。
【０１１３】
ステップＳ３６において、注目画素の両隣の隣接画素の少なくともいずれかのドロップ数が「０」ではないと判断した場合（ステップＳ３６：ＮＯ）、制御部４は、ステップＳ３８へ進む。
【０１１４】
ここでは、閾値Ｄｔが「１」であるため、注目画素の両隣の隣接画素の少なくともいずれかのドロップ数が「０」ではないことは、注目画素の主走査方向における両隣の隣接画素の少なくともいずれかの画像データに基づくドロップ数が閾値Ｄｔ以上であることを意味する。すなわち、このことは、前述の条件（５）が満たされることを意味する。
【０１１５】
ステップＳ３８，Ｓ３９の処理は、前述した図６のステップＳ１７，Ｓ１８の処理と同様である。ステップＳ３９の後、制御部４は、ステップＳ４０へ進む。
【０１１６】
ステップＳ４０〜Ｓ４３の処理は、前述した図５のステップＳ１０〜Ｓ１３の処理と同様である。ステップＳ４２において、ｌ＝Ｌであると判断した場合（ステップＳ４２：ＹＥＳ）、制御部４は、インクミスト対策処理を終了する。
【０１１７】
この第３実施形態におけるインクミスト対策処理後の画像データに基づく印刷時には、条件（１），（２），（５）を満たす画素に対するドロップ数に「１」が追加されてインク吐出が行われる。そして、このドロップ数が追加された画素の両隣の隣接画素のいずれかに対する、下流側のノズル列２７Ｂのノズル２８から吐出されるドロップ数が「１」だけ削減される。
【０１１８】
すなわち、上流側のノズル列２７Ａの強風領域Ａ内のノズル２８において、１画素あたり１ドロップのみの吐出が２ドロップの吐出へ変更されることがある。これにより、印刷時に発生するインクミストを低減することが可能である。
【０１１９】
また、１ドロップの吐出から２ドロップの吐出へ変更された画素の両隣の隣接画素のいずれかにおいて１ドロップが削減される。これにより、印刷画像における濃度の変化が抑えられる。このため、印刷画質の低下は抑えられる。
【０１２０】
以上説明したように、第３実施形態では、制御部４は、条件（１），（２），（５）を満たす画素に対するドロップ数が閾値Ｄｔより大きくなるようドロップ数を追加する。すなわち、制御部４は、画像データに基づくドロップ数が閾値Ｄｔ以下で０ではない画素のうち、当該画素に対するインク吐出を行うノズル２８が、上流側のノズル列２７Ａの強風領域Ａ内のノズル２８であり、かつ、当該画素の主走査方向における両隣の隣接画素の少なくともいずれかの画像データに基づくドロップ数が閾値Ｄｔ以上である画素に対するドロップ数が、閾値Ｄｔより大きくなるようドロップ数を追加する。それとともに、制御部４は、条件（１），（２），（５）を満たす画素に対するドロップ数の追加分を、下流側のノズル列２７Ｂのノズル２８による、当該画素の主走査方向における両隣の隣接画素のいずれかに対するドロップ数から削減する。
【０１２１】
これにより、搬送風の風量が大きい領域にあるノズル２８からの、インクミストが発生しやすい閾値Ｄｔ以下の小ドロップ数のインク吐出が低減するので、インクミストを低減できる。
【０１２２】
また、上流側のノズル列２７Ａにおいて追加された分のドロップ数は、下流側のノズル列２７Ｂにおいて隣接画素に吐出されるドロップ数から削減されるので、印刷画像における濃度の変化が抑えられる。このため、印刷画質の低下は抑えられる。
【０１２３】
したがって、第３実施形態によっても、印刷画質の低下を抑えつつ、インクミストを低減できる。
【０１２４】
（その他の実施形態）
上述のように、本発明は第１〜第３実施形態によって記載したが、この開示の一部をなす論述および図面はこの発明を限定するものであると理解すべきではない。この開示から当業者には様々な代替実施形態、実施例および運用技術が明らかとなろう。
【０１２５】
上述した第１〜第３実施形態では、インクジェットヘッド２６が２列のノズル列２７Ａ，２７Ｂを有する構成である場合について説明した。しかし、インクジェットヘッドが３列以上のノズル列を有し、各ノズル列のノズルが他のノズル列のノズルに対して主走査方向にずれるように配置された構成であってもよい。この場合、条件（２）の「上流側のノズル列」を「最上流のノズル列」に置き換えればよい。
【０１２６】
上記のようなインクジェットヘッドが３列以上のノズル列を有する構成では、最上流のノズル列のノズルの吐出対象の画素の主走査方向における隣接画素に対しては、最上流のノズル列以外のいずれかのノズル列のノズルによりインク吐出が行われる。このため、第１実施形態、第２実施形態のインクミスト対策処理を適用した場合に、最上流のノズル列において吐出が取り止められた分のドロップ数は、最上流のノズル列以外のいずれかのノズル列において隣接画素に追加されて吐出される。また、第２実施形態、第３実施形態のインクミスト対策処理を適用した場合に、最上流のノズル列において追加された分のドロップ数は、最上流のノズル列以外のいずれかのノズル列において隣接画素に吐出されるドロップ数から削減される。
【０１２７】
上述した第１〜第３実施形態では、マルチドロップ方式のインクジェットヘッド２６を用い、インクのドロップ数により、画素ごとのインク吐出量を設定する構成について説明した。しかし、インク滴の大きさにより、画素ごとのインク吐出量を設定するものであってもよい。この場合でも、吐出されるインク滴（インク吐出量）が小さいほど、インク液柱が分断されやすく、インクミストが発生しやすいため、本発明を適用できる。
【０１２８】
上述した第１〜第３実施形態では、千鳥配置された複数のインクジェットヘッド２６により主走査方向における印字領域を覆う構成で説明したが、単一のインクジェットヘッドが主走査方向における印字領域を覆う構成であってもよい。
【０１２９】
上述した第１〜第３実施形態では、搬送ベルト１１により搬送されるカット紙（枚葉紙）である用紙ＰＡに印刷する場合を示したが、ロール紙（連続紙）を連続的に搬送しつつ印刷する場合でも本発明は適用可能である。
【０１３０】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【０１３１】
１  インクジェット印刷装置
２  搬送部
３  印刷部
４  制御部
２１，２１Ｃ，２１Ｋ，２１Ｍ，２１Ｙ  ラインヘッド
２６  インクジェットヘッド
２７Ａ，２７Ｂ  ノズル列
２８  ノズル
Ａ  強風領域
【図１】
2018001423.tif 000003
【図２】
2018001423.tif 000004
【図３】
2018001423.tif 000005
【図４】
2018001423.tif 000006
【図５】
2018001423.tif 000007
【図６】
2018001423.tif 000008
【図７】
2018001423.tif 000009